(57)【要約】【課題】標的物質を簡単に連続して検出すること。【解決手段】測定装置１００は、実施形態の一例において、短手方向に隣接して設けられた複数のイムノクロマトセンサのサンプルパッド各々に、検体溶液を順に滴下する。また、測定装置１００は、実施形態の一例において、検体溶液が滴下されたイムノクロマトセンサのテスト領域の画像情報を取得する。また、測定装置１００は、実施形態の一例において、取得した画像情報に基づいて、標的物質の有無を検出する。【選択図】図１
2014055794.tif 000002
【特許請求の範囲】
【請求項１】
短手方向に隣接して設けられた複数のイムノクロマトセンサのサンプルパッド各々に、検体溶液を順に滴下する滴下部と、
前記滴下部により前記検体溶液が滴下された前記イムノクロマトセンサのテスト領域の画像情報を取得する取得部と
を有することを特徴とする測定装置。
【請求項２】
前記取得部により取得された画像情報に基づいて標的物質の有無を検出する検出部を更に有するとことを特徴とする請求項１に記載の測定装置。
【請求項３】
前記イムノクロマトセンサは、前記サンプルパッド、コンジュゲートパッド、前記テスト領域、コントロールライン、吸収領域が長手方向に順に設けられ、
前記複数のイムノクロマトセンサが、１つのシート上に、前記イムノクロマトセンサの短手方向に並べて設けられることを特徴とする請求項１又は２に記載の測定装置。
【請求項４】
前記シートは、前記短手方向に隣接して設けられたイムノクロマトセンサ間に、前記長手方向と比較して前記検体溶液の移動速度が遅いセンサ間領域を有することを特徴とする請求項３に記載の測定装置。
【請求項５】
前記シートは、前記センサ間領域として、疎液部位又は切れ目を有することを特徴とする請求項４に記載の測定装置。
【請求項６】
前記シート上に複数のイムノクロマトセンサを形成する形成部を更に有することを特徴とする請求項３〜５のいずれか１項に記載の測定装置。
【請求項７】
前記形成部は、前記シート上に形成する前記イムノクロマトセンサの種類を変更することを特徴とする請求項６に記載の測定装置。
【請求項８】
請求項１〜７のいずれか１項に記載の前記測定装置により用いられるイムノクロマトセンサ。
【請求項９】
短手方向に隣接して設けられた複数のイムノクロマトセンサのサンプルパッド各々に、検体溶液を順に滴下する滴下工程と、
前記検体溶液が滴下された前記イムノクロマトセンサのテスト領域の画像情報を取得する取得工程と
を含むことを特徴とする測定方法。
【発明の詳細な説明】
【技術分野】
【０００１】
本発明の種々の側面及び実施形態は、測定装置及び測定方法に関するものである。
【背景技術】
【０００２】
従来、検出対象となる標的物質の有無を検出する検出手法がある。検出手法として、例えば、イムノクロマトセンサを用いる手法がある。イムノクロマトセンサには、サンプルパッド、コンジュゲートパッド、テストライン、コントロールライン、吸収領域が長手方向に順に設けられる。そして、イムノクロマトセンサを用いて検出処理を実行する場合、ユーザは、検体溶液をサンプルパッドに滴下し、その後、テストラインが呈色するか否かに基づいて標的物質の有無を検出する。
【先行技術文献】
【特許文献】
【０００３】
【特許文献１】特開２０１２−７３１２５号公報
【発明の概要】
【発明が解決しようとする課題】
【０００４】
しかしながら、上述の従来技術では、標的物質を簡単に連続して検出できないという問題がある。
【課題を解決するための手段】
【０００５】
開示する測定装置は、１つの実施態様において、短手方向に隣接して設けられた複数のイムノクロマトセンサのサンプルパッド各々に、検体溶液を順に滴下する滴下部と、前記滴下部により前記検体溶液が滴下されたイムノクロマトセンサのテスト領域の画像情報を取得する取得部とを有する。
【発明の効果】
【０００６】
開示する測定装置の１つの態様によれば、標的物質を簡単に連続して検出可能となるという効果を奏する。
【図面の簡単な説明】
【０００７】
【図１】図１は、第１の実施形態に係る測定装置の構成の一例を示すブロック図である。
【図２】図２は、第１の実施形態におけるイムノクロマトセンサの一例を示す図である。
【図３】図３は、第１の実施形態におけるイムノクロマトセンサの一例を示す図である。
【図４】図４は、第１の実施形態に係る測定装置による処理の流れの一例を示すフローチャートである。
【図５】図５は、第２の実施形態に係る測定装置の構成の一例を示すブロック図である。
【図６】図６は、第２の実施形態における形成制御部によるイムノクロマトセンサの形成処理について示す図である。
【発明を実施するための形態】
【０００８】
以下に、開示する測定装置及び測定方法の実施例について、図面に基づいて詳細に説明する。なお、本実施形態により開示する発明が限定されるものではない。各実施形態は、処理内容を矛盾させない範囲で適宜組み合わせることが可能である。
【０００９】
（第１の実施形態）
実施形態の一例において、測定装置は、短手方向に隣接して設けられた複数のイムノクロマトセンサのサンプルパッド各々に、検体溶液を順に滴下する滴下部と、滴下部により検体溶液が滴下されたイムノクロマトセンサのテスト領域の画像情報を取得する取得部とを有する。
【００１０】
また、実施形態の一例において、測定装置は、取得部により取得された画像情報に基づいて標的物質の有無を検出する検出部を更に有する。
【００１１】
また、実施形態の一例において、イムノクロマトセンサは、サンプルパッド、コンジュゲートパッド、テスト領域、コントロールライン、吸収領域が長手方向に順に設けられ、複数のイムノクロマトセンサが、１つのシート上に、イムノクロマトセンサの短手方向に並べて設けられる。
【００１２】
また、実施形態の一例において、シートは、短手方向に隣接して設けられたイムノクロマトセンサ間に、長手方向と比較して検体溶液の移動速度が遅いセンサ間領域を有する。
【００１３】
また、実施形態の一例において、シートは、センサ間領域として、疎液部位又は切れ目を有する。
【００１４】
また、実施形態の一例において、測定方法は、短手方向に隣接して設けられた複数のイムノクロマトセンサのサンプルパッド各々に、検体溶液を順に滴下する滴下工程と、検体溶液が滴下されたイムノクロマトセンサのテスト領域の画像情報を取得する取得工程とを含む。
【００１５】
（第１の実施形態に係る測定装置の構成）
図１は、第１の実施形態に係る測定装置の構成の一例を示すブロック図である。図１に示す例では、測定装置１００は、入出力部１０１と、記憶部１１０と、制御部１２０とを有する。
【００１６】
入出力部１０１は、制御部１２０と接続される。入出力部１０１は、情報や指示を利用者から受け付け、受け付けた情報や指示を制御部１２０に入力する。また、入出力部１０１は、制御部１２０から情報を受け付け、受け付けた情報を出力する。入出力部１０１は、キーボードやマウス、マイク、ディスプレイ、スピーカなどである。なお、入出力部１０１によって受け付けられる情報や指示の詳細や、出力される情報の詳細については後述する。
【００１７】
滴下部１０２は、イムノクロマトセンサに検体溶液を滴下する。具体的には、滴下部１０２は、制御部１２０に制御されることで、複数のイムノクロマトセンサのサンプルパッド各々に、検体溶液を順に滴下する。
【００１８】
図２は、第１の実施形態におけるイムノクロマトセンサの一例を示す図である。第１の実施形態では、短手方向に隣接して設けられた複数のイムノクロマトセンサ２１０がシート２００上に形成される。図２に示す例では、短手方向に隣接して設けられた複数のイムノクロマトセンサ２１０は、それぞれ、サンプルパッド２１１、コンジュゲートパッド２１２、テスト領域２１３、コントロールライン２１４、吸収領域２１５が長手方向に順に設けられる。また、図２に示す例では、複数のイムノクロマトセンサ２１０は、１つのシート２００上に、イムノクロマトセンサ２１０の短手方向に並べて設けられる。
【００１９】
なお、イムノクロマトセンサ２１０において、サンプルパッド２１１は、検体溶液が滴下される。コンジュゲートパッド２１２は、検出対象となる標的物質と特異的に結合する物質であって標識された標識物質を含む。コンジュゲートパッド２１２は、例えば、金コロイド標識抗体を含む。テスト領域２１３には、予め抗体が固定される。テスト領域２１３に固定された抗体は、コンジュゲートパッド２１２に含まれる標識物質と標的物質との結合体と特異的に結合する。また、コントロールライン２１４には、予め抗体が固定される。コントロールライン２１４に固定された抗体は、コンジュゲートパッド２１２に含まれる標識物質と特異的に結合する。吸収領域２１５は、検体溶液を吸収する。
【００２０】
図２の矢印２２０に示すように、イムノクロマトセンサ２１０では、検体溶液がサンプルパッド２１１に滴下されると、検体溶液は、イムノクロマトセンサ２１０の長手方向に展開する。検体溶液は、例えば、毛細管現象によりシート２００上をイムノクロマトセンサ２１０の長手方向に展開する。サンプルパッド２１１に滴下された検体溶液は、その後、コンジュゲートパッド２１２にて標識物質と接触し、検体溶液に標的物質が含まれている場合には、標的物質と標識物質とが特異的に結合する。その後、検体溶液がテスト領域２１３に到達すると、検体溶液に標的物質が含まれており標的物質と標識物質とが特異的に結合している場合には、標識物質と標的物質との結合体がテスト領域２１３の抗体と特異的に結合し、テスト領域２１３が発色する。また、その後、検体溶液がコントロールライン２１４に到達すると、コントロールライン２１４に固定された抗体と標識物質とが特異的に結合し、コントロールライン２１４が発色する。その後、更に検体溶液が毛細管現象により展開した場合には、吸収領域２１５に吸収される。
【００２１】
このように、イムノクロマトセンサ２１０がシート２００上に複数隣接して形成されている結果、イムノクロマトセンサ２１０を簡単に連続して用いることが可能となる。
【００２２】
また、図２に示すように、シート２００は、短手方向に隣接して設けられたイムノクロマトセンサ２１０間に、イムノクロマトセンサ２１０の長手方向と比較して検体溶液の移動速度が遅いセンサ間領域２３０を有する。例えば、シート２００は、センサ間領域２３０として、疎液部位又は切れ目を有する。この結果、シート２００では、他のイムノクロマトセンサ２１０のサンプルパッド２１１に滴下された検体溶液による影響を排除することが可能となる。
【００２３】
図３は、第１の実施形態におけるイムノクロマトセンサの一例を示す図である。図３に示すように、シート２００は、ロール状に丸められても良い。例えば、滴下部１０２により検体溶液が滴下される前のイムノクロマトセンサ２１０がロール状に丸められていても良く、カメラ１０３による画像情報の撮影が終了したイムノクロマトセンサ２１０がロール状に丸められても良い。
【００２４】
図１の説明に戻る。カメラ１０３は、滴下部１０２により検体溶液が滴下されたイムノクロマトセンサ２１０のテスト領域２１３の画像情報を撮影する。カメラ１０３により撮影された画像情報は、制御部１２０により取得されて用いられる。なお、カメラ１０３により撮影される画像情報は、静止画情報であっても良く、動画情報であっても良い。
【００２５】
記憶部１１０は、制御部１２０と接続される。記憶部１１０は、制御部１２０による各種処理に用いるデータを記憶する。記憶部１１０は、例えば、ＲＡＭ（Random  Access  Memory）やＲＯＭ（Read  Only  Memory）、フラッシュメモリ（Flash  Memory）などの半導体メモリ素子、又は、ハードディスクや光ディスクなどである。
【００２６】
制御部１２０は、入出力部１０１、滴下部１０２及びカメラ１０３と接続される。制御部１２０は、各種の処理手順などを規定したプログラムを記憶する内部メモリを有し、種々の処理を制御する。制御部１２０は、例えば、ＡＳＩＣ（Application  Specific  Integrated  Circuit）、ＦＰＧＡ（Field  Programmable  Gate  Array）、ＣＰＵ（Central  Processing  Unit）、ＭＰＵ（Micro  Processing  Unit）などである。図１に示す例では、制御部１２０は、滴下制御部１２１と、取得部１２２と、検出部１２３とを有する。
【００２７】
滴下制御部１２１は、複数のイムノクロマトセンサ２１０のサンプルパッド２１１各々に、検体溶液を順に滴下する。具体的には、滴下制御部１２１は、滴下部１０２を制御することで、検体溶液をサンプルパッド２１１に順に滴下する。例えば、滴下制御部１２１は、操作者からの指示を受信すると、検体溶液をサンプルパッド２１１に順に滴下する。
【００２８】
例えば、滴下部１０２により検体溶液が滴下される位置が固定されている場合には、滴下制御部１２１は、イムノクロマトセンサ２１０のサンプルパッド２１１に検体溶液を滴下するごとにシート２００を移動することで、滴下部１０２により検体溶液が滴下される位置に次のイムノクロマトセンサ２１０のサンプルパッド２１１が位置するようにする。そして、滴下部１０２から検体溶液を滴下させる。その後、滴下制御部１２１は、同様の処理を繰り返すことで、短手方向に隣接して設けられた複数のイムノクロマトセンサ２１０に順に検体溶液を滴下する。
【００２９】
また、例えば、シート２００の位置が予め固定されている場合には、滴下制御部１２１は、イムノクロマトセンサ２１０のサンプルパッド２１１に検体溶液を滴下するごとに滴下部１０２の位置を移動することで、滴下部１０２により検体溶液が滴下される位置に次のイムノクロマトセンサ２１０のサンプルパッド２１１が位置するようにする。そして、滴下部１０２から検体溶液を滴下させる。その後、滴下制御部１２１は、同様の処理を繰り返すことで、複数のイムノクロマトセンサ２１０に順に検体溶液を滴下する。
【００３０】
取得部１２２は、滴下部１０２により検体溶液が滴下されたイムノクロマトセンサ２１０のテスト領域２１３の画像情報を取得する。具体的には、取得部１２２は、滴下制御部１２１により検体溶液が順に滴下されたイムノクロマトセンサ２１０各々について、画像情報を取得する。
【００３１】
例えば、取得部１２２は、カメラ１０３を制御することで、カメラ１０３により撮影されたテスト領域２１３の画像情報を取得する。ここで、イムノクロマトセンサ２１０では、サンプルパッド２１１に検体溶液を滴下してから検体溶液がテスト領域２１３やコントロールライン２１４に到達するまでに時間がかかる。このことを踏まえ、取得部１２２は、検体溶液がテスト領域２１３やコントロールライン２１４に到達するまでに時間が予め設定された上で、検体溶液が滴下された後予め設定された時間が経過したイムノクロマトセンサ２１０のテスト領域２１３の画像情報を取得する。
【００３２】
また、取得部１２２は、テスト領域２１３の画像情報を取得する際、コントロールライン２１４の画像情報を併せて取得しても良い。例えば、取得部１２２は、カメラ１０３により撮影される画像情報に、テスト領域２１３とコントロールライン２１４との両方が含まれるようにしても良い。この結果、検出部１２３による検出処理を容易にすることが可能となる。
【００３３】
検出部１２３は、取得部１２２により取得された画像情報に基づいて標的物質の有無を検出する。具体的には、検出部１２３は、画像情報に基づいて、テスト領域２１３が発色しているか否かを判定する。例えば、検出部１２３は、画素値の閾値が設定され、テスト領域２１３の画素値が閾値以上であるか否かを判定し、閾値以上であると判定した場合には標的物質ありとし、閾値未満であると判定した場合には標的物質なしとする。
【００３４】
また、検出部１２３は、画像情報にコントロールライン２１４が含まれている場合には、コントロールライン２１４の画素値を併せて用いて標的物質を検出しても良い。例えば、検出部１２３は、コントロールライン２１４の画素値を取得し、取得した画素値を基準としてテスト領域２１３に発色があるか否かを判定しても良い。
【００３５】
また、検出部１２３は、入出力部１０１を介して、利用者に検出結果を出力する。例えば、どのイムノクロマトセンサ２１０にて標的物質が検出されたかを出力する。この結果、短手方向に隣接して設けられた複数のイムノクロマトセンサ２１０に対して連続して行われた検出処理のどの時点において標的物質が検出されたかを利用者が簡単に把握可能となる。また、検出部１２３は、その際、併せて、取得部１２２により取得された画像情報を時系列に沿って出力しても良く、標的物質が検出されたイムノクロマトセンサ２１０についての画像情報を出力しても良い。
【００３６】
（第１の実施形態に係る測定装置による処理の流れ）
図４は、第１の実施形態に係る測定装置による処理の流れの一例を示すフローチャートである。
【００３７】
図４に示すように、測定装置１００では、操作者からの指示を受信すると（ステップＳ１０１Ｙｅｓ）、滴下制御部１２１が、イムノクロマトセンサ２１０のサンプルパッド２１１に検体溶液を順に滴下する（ステップＳ１０２）。例えば、滴下制御部１２１は、イムノクロマトセンサ２１０のサンプルパッド２１１に検体溶液を滴下する。また、滴下制御部１２１は、検体溶液を滴下するごとにシート２００を移動することで、滴下部１０２により検体溶液が滴下される位置に次のイムノクロマトセンサ２１０のサンプルパッド２１１が位置するようにする。
【００３８】
また、取得部１２２は、滴下部１０２により検体溶液が滴下されたイムノクロマトセンサ２１０のテスト領域２１３の画像情報を取得する（ステップＳ１０３）。具体的には、取得部１２２は、滴下制御部１２１により検体溶液が順に滴下されたイムノクロマトセンサ２１０各々について、画像情報を取得する。
【００３９】
そして、検出部１２３は、取得部１２２により取得された画像情報に基づいて標的物質の有無を検出する（ステップＳ１０４）。例えば、検出部１２３は、テスト領域２１３の画素値が閾値以上であるか否かを判定し、閾値以上であると判定した場合には標的物質ありとし、閾値未満であると判定した場合には標的物質なしとする。
【００４０】
そして、検出部１２３は、検出結果を入出力部１０１を介して利用者に出力する（ステップＳ１０５）。例えば、どのイムノクロマトセンサ２１０にて標的物質が検出されたかを出力する。
【００４１】
上述したように、第１の実施形態によれば、測定装置１００は、短手方向に隣接して設けられた複数のイムノクロマトセンサ２１０のサンプルパッド２１１各々に、検体溶液を順に滴下し、検体溶液が滴下されたイムノクロマトセンサ２１０のテスト領域２１３の画像情報を取得する。この結果、標的物質を簡単に連続して検出可能となる。
【００４２】
また、第１の実施形態によれば、測定装置１００は、画像情報に基づいて標的物質の有無を検出する。この結果、短手方向に隣接して設けられた複数あるイムノクロマトセンサ２１０のテスト領域２１３を利用者が目視にて確認することなく、標的物質を簡単に連続して検出可能となる。
【００４３】
また、第１の実施形態によれば、イムノクロマトセンサ２１０は、サンプルパッド２１１、コンジュゲートパッド２１２、テスト領域２１３、コントロールライン２１４、吸収領域２１５が長手方向に順に設けられ、短手方向に隣接して設けられた複数のイムノクロマトセンサ２１０が、１つのシート２００上に、イムノクロマトセンサ２１０の短手方向に並べて設けられる。この結果、短手方向に隣接して設けられた複数のイムノクロマトセンサ２１０を短時間に連続して測定することが可能となる。
【００４４】
また、第１の実施形態によれば、シート２００は、短手方向に隣接して設けられたイムノクロマトセンサ２１０間に、イムノクロマトセンサ２１０の長手方向と比較して検体溶液の移動速度が遅いセンサ間領域２３０を有する。この結果、他のイムノクロマトセンサ２１０のサンプルパッド２１１に滴下された検体溶液による影響を防止可能となる。
【００４５】
また、第１の実施形態によれば、シート２００は、センサ間領域２３０として、疎液部位又は切れ目を有する。この結果、センサ間領域２３０を簡単に実現可能となる。
【００４６】
（第２の実施形態）
以上、第１の実施形態に係る測定装置及び測定方法について説明したが、これに限定されるものではない。以下では、第２の実施形態について説明する。以下では、第１の実施形態に係る測定装置１００と同様の点については、説明を省略する。
【００４７】
測定装置３００は、実施形態の一例において、シート２００上に短手方向に隣接して設けられた複数のイムノクロマトセンサ２１０を形成する形成部を更に有する。
【００４８】
また、測定装置３００は、実施形態の一例において、形成部は、シート２００上に短手方向に隣接して設けられた形成するイムノクロマトセンサ２１０の種類を変更する。
【００４９】
（第２の実施形態に係る測定装置の構成）
図５は、第２の実施形態に係る測定装置の構成の一例を示すブロック図である。図５に示すように、測定装置３００は、形成部３０１を更に有し、制御部３２０が形成制御部３２１を更に有する。
【００５０】
形成部３０１は、形成制御部３２１により制御されることで、シート２００上に複数のイムノクロマトセンサ２１０を形成する。形成部３０１は、例えば、プリンタである。
【００５１】
形成制御部３２１は、形成部３０１を制御することで、シート２００上に短手方向に隣接して設けられた複数のイムノクロマトセンサ２１０を形成する。例えば、形成部３０１から標識物質や抗体をシート２００上に印刷することでイムノクロマトセンサ２１０を形成し、疎水物質を印刷したり切れ目を入れたりすることでセンサ間領域２３０を形成する。なお、この際、形成制御部３２１がイムノクロマトセンサ２１０を形成する前に、予め、イムノクロマトセンサ２１０の一部がシート２００上に形成されていても良い。例えば、シート２００上に、サンプルパッド２１１と吸収領域２１５とが形成されていても良い。この場合、形成制御部３２１は、標的物質に対応する標識物質をコンジュゲートパッド２１２に印刷することで貼り付け、標識物質と標的物質との結合体と特異的に結合する抗体をテスト領域２１３に印刷することで固定し、標識物質と特異的に結合する抗体をコントロールライン２１４に印刷することで固定する。
【００５２】
図６は、第２の実施形態における形成制御部によるイムノクロマトセンサ２１０の形成処理について示す図である。図６に示すように、形成制御部３２１は、例えば、形成部３０１を制御することで、イムノクロマトセンサ２１０を順々に形成する。なお、図６に示す例では、記載の便宜上、形成部３０１を長方形で示した。
【００５３】
また、形成制御部３２１は、シート２００上に短手方向に隣接して設けられたイムノクロマトセンサ２１０の種類を変更しても良い。言い換えると、形成制御部３２１は、イムノクロマトセンサ２１０により検出される標的物質を変更しても良い。例えば、形成制御部３２１は、テスト領域２１３に固定する抗体の種類を変更することで、標的物質を変更しても良い。ただし、標的物質の変更の仕方は、これに限定されるものではなく、任意の手法を用いて良い。
【００５４】
例えば、形成制御部３２１は、複数の標的物質をそれぞれ検出したい場合や、検出処理を行う時間帯ごとに標的物質を変更したい場合に、形成制御部３２１は、標的物質を変更しても良い。また、例えば、形成制御部３２１は、検出部１２３による検出結果に基づいて、形成部３０１に形成させるイムノクロマトセンサ２１０を変更しても良い。より詳細な一例をあげて説明すると、検出部１２３により標的物質が検出された場合に、別の標的物質の有無を検出するためのシート２００上に形成するイムノクロマトセンサ２１０を変更しても良い。
【００５５】
また、同様に、形成制御部３２１は、センサ間領域２３０の形成の仕方を変更しても良い。例えば、形成制御部３２１は、取得部１２２により取得された画像情報に基づき、センサ間領域２３０をまたいで隣接するイムノクロマトセンサ２１０に検体溶液が展開しているか否かを判定する。ここで、形成制御部３２１は、展開していると判定した場合には、センサ間領域２３０の形成の仕方を変更する。例えば、疎水物質を印刷することでセンサ間領域２３０を形成していた場合には、切れ目を入れることでセンサ間領域２３０を形成するようにする。この場合、形成部３０１は、例えば、予め切れ目を形成するためのカッターや刃物やローラなどを有し、形成制御部３２１の制御に基づいてシート２００に切れ目を形成する。
【００５６】
上述したように、第２の実施形態に係る測定装置３００によれば、シート２００上に短手方向に隣接して設けられた複数のイムノクロマトセンサ２１０を形成する形成部３０１を更に有するので、複数のイムノクロマトセンサ２１０を予め用意しなくても良く、掲出処理を行う都度その場でイムノクロマトセンサ２１０を用意することが可能となる。
【００５７】
また、第２の実施形態に係る測定装置３００によれば、シート２００上に形成するイムノクロマトセンサ２１０の種類を変更する。この結果、種々の標的物質を連続した簡単に測定可能となる。
【００５８】
（その他の実施形態）
さて、第１の実施形態と第２の実施形態とについて説明したが、上述した実施形態以外にも、その他の実施形態にて実施されても良い。そこで、以下では、その他の実施形態を示す。
【００５９】
例えば、本実施例において説明した各処理のうち、自動的に行われるものとして説明した処理の全部又は一部を手動的に行うこともでき、あるいは、手動的に行われるものとして説明した処理の全部又は一部を公知の方法で自動的に行うこともできる。この他、上述文書中や図面中で示した処理手順、制御手順、具体的名称、各種のデータやパラメータを含む情報（図１〜図６）については、特記する場合を除いて任意に変更することができる。
【００６０】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。例えば、図１に示す例では、滴下部１０２やカメラ１０３を別装置としてネットワーク経由で接続するようにしても良い。
【００６１】
また、例えば、第２の実施形態では、測定装置３００が、イムノクロマトセンサ２１０を変更する場合を例に示したが、これに限定されるものではなく、形成制御部３２１が、同一のイムノクロマトセンサ２１０をシート２００上に形成しても良い。
【００６２】
また、例えば、上述した実施形態では、シート２００上に、短手方向に隣接して設けられた複数のイムノクロマトセンサ２１０が形成される場合を例に示したが、これに限定されるものではなく、シート２００上に短手方向に隣接して設けられた複数のイムノクロマトセンサ２１０各々が形成されていなくても良い。
【００６３】
また、例えば、上述した実施形態では、測定装置１００が標的物質の有無を検出する場合を例に説明したが、これに限定されるものではない。例えば、測定装置１００が検出処理を実行しなくても良く、検出処理を他の装置が行っても良く、手動にて行っても良い。この場合、測定装置１００は、取得部１２２により取得された画像情報を、検出処理を行う他の装置に出力したり、モニタに表示することで目視による検出を行っても良い。
【符号の説明】
【００６４】
１００      測定装置
１０１      入出力部
１０２      滴下部
１０３      カメラ
１１０      記憶部
１２０      制御部
１２１      滴下制御部
１２２      取得部
１２３      検出部
２００      シート
２１０      イムノクロマトセンサ
２１１      サンプルパッド
２１２      コンジュゲートパッド
２１３      テスト領域
２１４      コントロールライン
２１５      吸収領域
２３０      センサ間領域
３００      測定装置
３０１      形成部
３２０      制御部
３２１      形成制御部
【図１】
2014055794.tif 000003
【図２】
2014055794.tif 000004
【図３】
2014055794.tif 000005
【図４】
2014055794.tif 000006
【図５】
2014055794.tif 000007
【図６】
2014055794.tif 000008